(57)【特許請求の範囲】
【請求項１】
対象画像の一部または全部の色変換を実行する色変換部と、
色変換前の前記対象画像内の処理対象領域を検出する領域検出部と、
前記処理対象領域のカラー情報を特定し、特定したカラー情報に対応するテクスチャーコードを特定するテクスチャーコード特定部と、
特定された前記テクスチャーコードに対応するコード画像を色変換後の前記対象画像に貼り付けるコード画像貼付部と、
を備え、
前記色変換部は、前記対象画像をカラー画像からモノクロ画像へ変換し、
前記テクスチャーコード特定部は、前記カラー情報における複数の色成分値を２進数としたときの同一桁から得られる２進数から単位コードを複数特定し、それらの単位コードを配列させて前記テクスチャーコードを特定し、
前記コード画像貼付部は、前記複数特定された単位コードに対応する複数の単位コード画像を特定し、特定した前記単位コード画像を配列させて前記コード画像とし、
前記単位コード画像は、それぞれ、縦横３ブロックの計９ブロックの基本パターンにおいて、他の単位コード画像とは異なる配置パターンで黒のベタ塗りブロックを配置して得られること、
を特徴とする画像処理装置。
【請求項２】
前記テクスチャーコード特定部は、前記処理対象領域のＲＧＢ値を量子化して前記カラー情報を特定することを特徴とする請求項１記載の画像処理装置。
【請求項３】
前記コード画像貼付部は、前記処理対象領域がテキストである場合、前記テキストを含む背景領域にテクスチャーを付加し、そのテクスチャー上に前記コード画像を貼り付けることを特徴とする請求項１または請求項２記載の画像処理装置。
【請求項４】
請求項１から請求項３のうちのいずれか１項記載の画像処理装置を備え、
前記画像処理装置による色変換後の前記対象画像を出力すること、
を特徴とする画像形成装置。
【請求項５】
コンピューターを、
対象画像の一部または全部の色変換を実行する色変換部、
色変換前の前記対象画像内の処理対象領域を検出する領域検出部、
前記処理対象領域のカラー情報を特定し、特定したカラー情報に対応するテクスチャーコードを特定するテクスチャーコード特定部、および、
特定された前記テクスチャーコードに対応するコード画像を色変換後の前記対象画像に貼り付けるコード画像貼付部、
として機能させ、
前記色変換部は、前記対象画像をカラー画像からモノクロ画像へ変換し、
前記テクスチャーコード特定部は、前記カラー情報における複数の色成分値を２進数としたときの同一桁から得られる２進数から単位コードを複数特定し、それらの単位コードを配列させて前記テクスチャーコードを特定し、
前記コード画像貼付部は、前記複数特定された単位コードに対応する複数の単位コード画像を特定し、特定した前記単位コード画像を配列させて前記コード画像とし、
前記単位コード画像は、それぞれ、縦横３ブロックの計９ブロックの基本パターンにおいて、他の単位コード画像とは異なる配置パターンで黒のベタ塗りブロックを配置して得られること、
を特徴とする画像処理プログラム。
【請求項６】
対象画像の一部または全部の色変換を実行する色変換ステップと、
色変換前の前記対象画像内の処理対象領域を検出するステップと、
前記処理対象領域のカラー情報を特定し、特定したカラー情報に対応するテクスチャーコードを特定するテクスチャーコード特定ステップと、
特定された前記テクスチャーコードに対応するコード画像を色変換後の前記対象画像に貼り付けるコード画像貼付ステップと、
を備え、
前記色変換ステップでは、前記対象画像をカラー画像からモノクロ画像へ変換し、
前記テクスチャーコード特定ステップでは、前記カラー情報における複数の色成分値を２進数としたときの同一桁から得られる２進数から単位コードを複数特定し、それらの単位コードを配列させて前記テクスチャーコードを特定し、
前記コード画像貼付ステップでは、前記複数特定された単位コードに対応する複数の単位コード画像を特定し、特定した前記単位コード画像を配列させて前記コード画像とし、
前記単位コード画像は、それぞれ、縦横３ブロックの計９ブロックの基本パターンにおいて、他の単位コード画像とは異なる配置パターンで黒のベタ塗りブロックを配置して得られること、
を特徴とする画像処理方法。
【請求項７】
対象画像内のコード画像を検出するコード画像検出部と、
前記コード画像検出部により検出された前記コード画像に対応するテクスチャーコードを特定し、特定したテクスチャーコードに対応するカラー情報を特定する色特定部と、
前記対象画像内において前記コード画像が貼り付けられていた処理対象領域の色を、前記色特定部により特定されたカラー情報により指定される色に変換するとともに、前記コード画像を前記対象画像から消去する色変換部と、
を備え、
前記コード画像検出部は、単位コード画像に一致する画像を前記対象画像内で探し、所定数の前記単位コード画像の配列を前記コード画像として検出し、
前記色特定部は、検出された前記コード画像を複数の単位コード画像に分解し、前記複数の単位コード画像に対応する複数の単位コードを特定し、前記複数の単位コードの配列を前記テクスチャーコードとして特定し、
前記単位コード画像は、それぞれ、縦横３ブロックの計９ブロックの基本パターンにおいて、他の単位コード画像とは異なる配置パターンで黒のベタ塗りブロックを配置したものであること、
を特徴とする画像処理装置。
【請求項８】
請求項７記載の画像処理装置を備え、
前記画像処理装置による色変換後の前記対象画像を出力すること、
を特徴とする画像形成装置。
【請求項９】
コンピューターを、
対象画像内のコード画像を検出するコード画像検出部、
前記コード画像検出部により検出された前記コード画像に対応するテクスチャーコードを特定し、特定したテクスチャーコードに対応するカラー情報を特定する色特定部、および、
前記対象画像内において前記コード画像が貼り付けられていた処理対象領域の色を、前記色特定部により特定されたカラー情報により指定される色に変換するとともに、前記コード画像を前記対象画像から消去する色変換部、
として機能させ、
前記コード画像検出部は、単位コード画像に一致する画像を前記対象画像内で探し、所定数の前記単位コード画像の配列を前記コード画像として検出し、
前記色特定部は、検出された前記コード画像を複数の単位コード画像に分解し、前記複数の単位コード画像に対応する複数の単位コードを特定し、前記複数の単位コードの配列を前記テクスチャーコードとして特定し、
前記単位コード画像は、それぞれ、縦横３ブロックの計９ブロックの基本パターンにおいて、他の単位コード画像とは異なる配置パターンで黒のベタ塗りブロックを配置したものであること、
を特徴とする画像処理プログラム。
【請求項１０】
対象画像内のコード画像を検出するコード画像検出ステップと、
検出した前記コード画像に対応するテクスチャーコードを特定し、特定したテクスチャーコードに対応するカラー情報を特定する色特定ステップと、
前記対象画像内において前記コード画像が貼り付けられていた処理対象領域の色を、前記色特定部により特定されたカラー情報により指定される色に変換するとともに、前記コード画像を前記対象画像から消去するステップと、
を備え、
前記コード画像検出ステップでは、単位コード画像に一致する画像を前記対象画像内で探し、所定数の前記単位コード画像の配列を前記コード画像として検出し、
前記色特定ステップでは、検出された前記コード画像を複数の単位コード画像に分解し、前記複数の単位コード画像に対応する複数の単位コードを特定し、前記複数の単位コードの配列を前記テクスチャーコードとして特定し、
前記単位コード画像は、それぞれ、縦横３ブロックの計９ブロックの基本パターンにおいて、他の単位コード画像とは異なる配置パターンで黒のベタ塗りブロックを配置したものであること、
を特徴とする画像処理方法。
【発明の詳細な説明】
【技術分野】
【０００１】
本発明は、画像処理装置、画像形成装置、画像処理プログラム、および画像処理方法に関するものである。
【背景技術】
【０００２】
カラー画像の色を変換する様々な技術がある。例えば、印刷コスト削減や環境負荷低減のために、カラー画像の原稿をモノクロ画像に変換した上で印刷することがある。この場合、モノクロ画像は、カラー画像の輝度データに基づきグレースケールで表現される。
【０００３】
また、色弱者には識別が難しい色があるため、カラー画像において色弱者が識別しにくい色の領域を抽出し、その色を識別しやすい色に変換することがある。
【０００４】
上述の場合、通常、色変換前の色は色変換後の画像から特定できない。このため、色変換前の色を色変換後の画像から特定できるようにする技術が提案されている。
【０００５】
例えば、色変換後の輝度値を元の色に対応する値とするもの（例えば特許文献１参照）、色変換後の画像において、矢印の向き、矢印の方向における矢印の間隔、および矢印に対して垂直方向における矢印の間隔を色の色相、彩度、および明度とした、元の色を示す矢印を付加するもの（例えば特許文献２参照）などがある。
【０００６】
なお、色変換前の特定色に対応する部分の視認性を高くするために、その部分に装飾（網掛けなど）を施すものがあるが（例えば特許文献３参照）、これについては、元の色を特定することはできない。
【先行技術文献】
【特許文献】
【０００７】
【特許文献１】特開２００９−２５３６６６号公報
【特許文献２】特開２００８−０７７３０７号公報
【特許文献３】特開２０１０−２３２７３６号公報
【発明の概要】
【発明が解決しようとする課題】
【０００８】
上述の技術では、色変換前の色を正確に特定することは困難である。例えば、特許文献２記載の技術では、色を復元する際における、矢印の向き（角度）、矢印の方向における矢印の間隔、および矢印に対して垂直方向における矢印の間隔の検出誤差に起因して、色変換前の色を正確に特定することは困難である。特に、色変換後の画像を印刷し、その印刷物を画像スキャンして得られる画像データに対して色復元を行う場合には、その誤差は顕著になる。
【０００９】
本発明は、上記の問題に鑑みてなされたものであり、色変換後の画像から色変換前の色を正確に特定できるようにするための画像処理装置、画像形成装置、画像処理プログラム、および画像処理方法を得ることを目的とする。
【課題を解決するための手段】
【００１０】
上記の課題を解決するために、本発明では以下のようにした。
【００１１】
本発明に係る画像処理装置は、対象画像の一部または全部の色変換を実行する色変換部と、色変換前の対象画像内の処理対象領域を検出する領域検出部と、処理対象領域のカラー情報を特定し、特定したカラー情報に対応するテクスチャーコードを特定するテクスチャーコード特定部と、特定されたテクスチャーコードに対応するコード画像を色変換後の対象画像に貼り付けるコード画像貼付部とを備える。色変換部は、対象画像をカラー画像からモノクロ画像へ変換する。テクスチャーコード特定部は、カラー情報における複数の色成分値を２進数としたときの同一桁から得られる２進数から単位コードを複数特定し、それらの単位コードを配列させて前記テクスチャーコードを特定し、コード画像貼付部は、複数特定された単位コードに対応する複数の単位コード画像を特定し、特定した単位コード画像を配列させてコード画像とする。単位コード画像は、それぞれ、縦横３ブロックの計９ブロックの基本パターンにおいて、他の単位コード画像とは異なる配置パターンで黒のベタ塗りブロックを配置して得られる。
【００１２】
これにより、コード画像から一意にテクスチャーコードが得られ、テクスチャーコードから一意に色変換前の色が得られるので、色変換後の画像から色変換前の色を正確に特定できる。
【００１５】
また、本発明に係る画像処理装置は、上記の画像処理装置のいずれかに加え、次のようにしてもよい。この場合、テクスチャーコード特定部は、処理対象領域のＲＧＢ値を量子化してカラー情報を特定する。
【００１６】
また、本発明に係る画像処理装置は、上記の画像処理装置のいずれかに加え、次のようにしてもよい。この場合、コード画像貼付部は、処理対象領域がテキストである場合、テキストを含む背景領域にテクスチャーを付加し、そのテクスチャー上にコード画像を貼り付ける。
【００１７】
これにより、処理対象領域として複数のテキストが存在しても、各テキストにコード画像を正確に関連付けることができる。
【００２０】
本発明に係る画像処理プログラムは、コンピューターを、対象画像の一部または全部の色変換を実行する色変換部、色変換前の対象画像内の処理対象領域を検出する領域検出部、処理対象領域のカラー情報を特定し、特定したカラー情報に対応するテクスチャーコードを特定するテクスチャーコード特定部、および、特定されたテクスチャーコードに対応するコード画像を色変換後の対象画像に貼り付けるコード画像貼付部として機能させる。色変換部は、対象画像をカラー画像からモノクロ画像へ変換する。テクスチャーコード特定部は、カラー情報における複数の色成分値を２進数としたときの同一桁から得られる２進数から単位コードを複数特定し、それらの単位コードを配列させて前記テクスチャーコードを特定し、コード画像貼付部は、複数特定された単位コードに対応する複数の単位コード画像を特定し、特定した単位コード画像を配列させてコード画像とする。単位コード画像は、それぞれ、縦横３ブロックの計９ブロックの基本パターンにおいて、他の単位コード画像とは異なる配置パターンで黒のベタ塗りブロックを配置して得られる。
【００２１】
これにより、コード画像から一意にテクスチャーコードが得られ、テクスチャーコードから一意に色変換前の色が得られるので、色変換後の画像から色変換前の色を正確に特定できる。
【００２２】
本発明に係る画像処理方法は、対象画像の一部または全部の色変換を実行する色変換ステップと、色変換前の対象画像内の処理対象領域を検出するステップと、処理対象領域のカラー情報を特定し、特定したカラー情報に対応するテクスチャーコードを特定するテクスチャーコード特定ステップと、特定されたテクスチャーコードに対応するコード画像を色変換後の対象画像に貼り付けるコード画像貼付ステップとを備える。色変換ステップでは、対象画像をカラー画像からモノクロ画像へ変換する。テクスチャーコード特定ステップでは、カラー情報における複数の色成分値を２進数としたときの同一桁から得られる２進数から単位コードを複数特定し、それらの単位コードを配列させてテクスチャーコードを特定し、コード画像貼付ステップでは、複数特定された単位コードに対応する複数の単位コード画像を特定し、特定した単位コード画像を配列させてコード画像とする。単位コード画像は、それぞれ、縦横３ブロックの計９ブロックの基本パターンにおいて、他の単位コード画像とは異なる配置パターンで黒のベタ塗りブロックを配置して得られる。
【００２３】
これにより、コード画像から一意にテクスチャーコードが得られ、テクスチャーコードから一意に色変換前の色が得られるので、色変換後の画像から色変換前の色を正確に特定できる。
【００２４】
また、本発明に係る画像処理装置は、対象画像内のコード画像を検出するコード画像検出部と、コード画像検出部により検出されたコード画像に対応するテクスチャーコードを特定し、特定したテクスチャーコードに対応するカラー情報を特定する色特定部と、対象画像内においてコード画像が貼り付けられていた処理対象領域の色を、色特定部により特定されたカラー情報により指定される色に変換するとともに、コード画像を対象画像から消去する色変換部とを備える。コード画像検出部は、単位コード画像に一致する画像を対象画像内で探し、所定数の単位コード画像の配列をコード画像として検出し、色特定部は、検出されたコード画像を複数の単位コード画像に分解し、複数の単位コード画像に対応する複数の単位コードを特定し、複数の単位コードの配列をテクスチャーコードとして特定する。単位コード画像は、それぞれ、縦横３ブロックの計９ブロックの基本パターンにおいて、他の単位コード画像とは異なる配置パターンで黒のベタ塗りブロックを配置したものである。
【００２５】
これにより、コード画像から一意にテクスチャーコードが得られ、テクスチャーコードから一意に色変換前の色が得られるので、対象画像から色変換前の色を正確に特定できる。
【００２６】
本発明に係る画像処理プログラムは、コンピューターを、対象画像内のコード画像を検出するコード画像検出部、コード画像検出部により検出されたコード画像に対応するテクスチャーコードを特定し、特定したテクスチャーコードに対応するカラー情報を特定する色特定部、および、対象画像内においてコード画像が貼り付けられていた処理対象領域の色を、色特定部により特定されたカラー情報により指定される色に変換するとともに、コード画像を対象画像から消去する色変換部として機能させる。コード画像検出部は、単位コード画像に一致する画像を対象画像内で探し、所定数の単位コード画像の配列をコード画像として検出し、色特定部は、検出されたコード画像を複数の単位コード画像に分解し、複数の単位コード画像に対応する複数の単位コードを特定し、複数の単位コードの配列をテクスチャーコードとして特定する。単位コード画像は、それぞれ、縦横３ブロックの計９ブロックの基本パターンにおいて、他の単位コード画像とは異なる配置パターンで黒のベタ塗りブロックを配置したものである。
【００２７】
これにより、コード画像から一意にテクスチャーコードが得られ、テクスチャーコードから一意に色変換前の色が得られるので、対象画像から色変換前の色を正確に特定できる。
【００２８】
本発明に係る画像処理方法は、対象画像内のコード画像を検出するコード画像検出ステップと、検出したコード画像に対応するテクスチャーコードを特定し、特定したテクスチャーコードに対応するカラー情報を特定する色特定ステップと、対象画像内においてコード画像が貼り付けられていた処理対象領域の色を、色特定部により特定されたカラー情報により指定される色に変換するとともに、コード画像を対象画像から消去するステップとを備える。コード画像検出ステップでは、単位コード画像に一致する画像を対象画像内で探し、所定数の単位コード画像の配列をコード画像として検出し、色特定ステップでは、検出されたコード画像を複数の単位コード画像に分解し、複数の単位コード画像に対応する複数の単位コードを特定し、複数の単位コードの配列をテクスチャーコードとして特定する。単位コード画像は、それぞれ、縦横３ブロックの計９ブロックの基本パターンにおいて、他の単位コード画像とは異なる配置パターンで黒のベタ塗りブロックを配置したものである。
【００２９】
これにより、コード画像から一意にテクスチャーコードが得られ、テクスチャーコードから一意に色変換前の色が得られるので、対象画像から色変換前の色を正確に特定できる。
【００３０】
本発明に係る画像形成装置は、上述の画像処理装置のいずれかを備え、その画像処理装置による色変換後の対象画像を出力する。
【発明の効果】
【００３１】
本発明によれば、色変換後の画像から色変換前の色を正確に特定できる。
【図面の簡単な説明】
【００３２】
【図１】図１は、本発明の実施の形態に係る画像処理装置の構成を示すブロック図である。
【図２】図２は、図１に示す画像処理装置による色変換処理について説明するフローチャートである。
【図３】図３は、図１に示す画像処理装置による色変換後のテキストに対するコード画像の貼り付けの一例を示す図である。
【図４】図４は、図１に示す画像処理装置による色変換後のグラフに対するコード画像の貼り付けの一例を示す図である。
【図５】図５は、図２のステップＳ４，Ｓ８におけるテクスチャーコードの特定について説明するフローチャートである。
【図６】図６は、テクスチャーコードとコード画像との対応関係の一例を示す図である。
【図７】図７は、図１に示す画像処理装置による色復元処理について説明するフローチャートである。
【発明を実施するための形態】
【００３３】
以下、図に基づいて本発明の実施の形態を説明する。
【００３４】
実施の形態１．
【００３５】
図１は、本発明の実施の形態に係る画像処理装置の構成を示すブロック図である。図１に示す画像処理装置は、演算処理装置１、およびその演算処理装置１に接続される記憶装置２を備える。
【００３６】
演算処理装置１は、ＣＰＵ（Central Processing Unit）、ＲＯＭ（Read Only Memory）、ＲＡＭ（Random Access Memory）などを含むコンピューターを有し、ＲＯＭ、記憶装置２などに記憶されているプログラムをＲＡＭにロードしてＣＰＵで実行して各種処理部を実現する。これらの処理部は、処理すべきデータや一時的なデータをＲＡＭに格納しつつ処理を実行する。
【００３７】
また、記憶装置２は、各種データを記憶する装置である。記憶装置２には、ハードディスクドライブ、半導体メモリーなどが使用される。この記憶装置２には、色変更プログラム１１、色復元プログラム１２、およびコード画像テーブル１３が記憶されている。
【００３８】
演算処理装置１では、色変更プログラム１１により色変更部２１が実現され、色復元プログラム１２により色復元部２２が実現される。
【００３９】
色変更部２１は、画像データに対して色変換処理を実行するとともに、色変換の処理対象領域に対して色変換後に色変換前の色を示すコード画像を貼り付ける。色変更部２１は、色変換部３１、領域検出部３２、テクスチャーコード特定部３３、およびコード画像貼付部３４を有する。
【００４０】
色変換部３１は、対象画像の一部または全部の色変換を実行する処理部である。実施の形態１では、色変換部３１は、対象画像の全部をカラー画像からモノクロ画像へ変換する。
【００４１】
領域検出部３２は、色変換前の対象画像内の処理対象領域を検出する処理部である。この実施の形態１では、処理対象領域として、テキスト、および図表・グラフが検出される。
【００４２】
テクスチャーコード特定部３３は、処理対象領域のカラー情報を特定し、特定したカラー情報に対応するテクスチャーコードを特定する処理部である。
【００４３】
実施の形態１では、テクスチャーコード特定部３３は、処理対象領域のＲＧＢ値を量子化してカラー情報を特定する。
【００４４】
実施の形態１では、テクスチャーコード特定部３３は、カラー情報における複数の色成分値を使用する所定の処理によって複数の単位コードを特定し、複数の単位コードを配列させてテクスチャーコードを生成する。具体的には、テクスチャーコード特定部３３は、カラー情報における複数の色成分値を２進数としたときの同一桁から得られる２進数から単位コードを特定する。実施の形態１では、単位コードは２桁の１０進数とされ、テクスチャーコードは６桁の１０進数とされる。
【００４５】
コード画像貼付部３４は、コード画像テーブル１３に基づいて、特定されたテクスチャーコードに対応するコード画像を特定し、そのコード画像を色変換後の対象画像に貼り付ける処理部である。このコード画像は（独自の）２次元コード画像であって、異なるテクスチャーコードに対応するコード画像は互いに異なり互いに混同しにくいパターン画像とされる。
【００４６】
実施の形態１では、コード画像貼付部３４は、処理対象領域がテキストである場合、テキストを含む背景領域にテクスチャーを付加し、そのテクスチャー上にコード画像を貼り付ける。また、実施の形態１では、コード画像貼付部３４は、処理対象領域が図表・グラフである場合、図表・グラフ内の単一色領域ごとに、コード画像を貼り付ける。
【００４７】
色復元部２２は、コード画像を貼り付けられている画像の画像データに対して色復元処理を実行する。色復元部２２は、コード画像検出部４１、色特定部４２、および色変換部４３を有する。
【００４８】
コード画像検出部４１は、コード画像テーブル１３に基づいて、対象画像内のコード画像を検出する処理部である。つまり、コード画像検出部４１は、画像マッチング技術を使用して、コード画像テーブル１３に登録されているコード画像を対象画像内で探索する。
【００４９】
色特定部４２は、コード画像検出部４１により検出されたコード画像に対応するテクスチャーコードを特定し、特定したテクスチャーコードに対応するカラー情報を特定する。
【００５０】
色変換部４３は、対象画像内においてコード画像が貼り付けられていた処理対象領域の色を、色特定部４２により特定されたカラー情報により指定される色に変換するとともに、そのコード画像を対象画像から消去する処理部である。そのコード画像の存在した部分の色は、その周囲の背景色と同一とされる。
【００５１】
次に、上記画像処理装置の動作について説明する。ここでは、上記画像処理装置による色変換処理と色復元処理とについて説明する。
【００５２】
（１）色変換処理
【００５３】
図２は、図１に示す画像処理装置による色変換処理について説明するフローチャートである。
【００５４】
色変換の対象となる対象画像のカラー画像データがこの画像処理装置に供給され、例えば演算処理装置１内のＲＡＭに記憶される。領域検出部３２、テクスチャーコード特定部３３およびコード画像貼付部３４は、所定の設定値を参照し、その設定値が所定の値であれば、後述のコード画像の貼り付けを行い、そうでなければ、後述のコード画像の貼り付けを行わない。
【００５５】
コード画像の貼り付けを行う場合、まず、領域検出部３２は、その画像データを読み出し、色変換前の対象画像内の処理対象領域を検出する（ステップＳ１）。このとき、単一色の各領域の形状、サイズ、配列状態などに基づいて、処理対象領域としての、テキスト、あるいは図表・グラフが検出される。
【００５６】
次に、テクスチャーコード特定部３３は、その処理対象領域がテキストであるか否かを判定する（ステップＳ２）。
【００５７】
処理対象領域がテキストである場合、テクスチャーコード特定部３３は、そのテキスト部分の色の平均値をそのテキストの色とし、その色（ＲＧＢ値）からテクスチャーコードを特定する（ステップＳ３）。
【００５８】
そして、色変換部３１は、色変換前の画像データを読み出し、その画像データについて色変換を実行し、色変換後の画像データを書き込む（ステップＳ４）。実施の形態１では、色変換部３１は、そのカラー画像データをモノクロ画像データへ変換する。
【００５９】
コード画像貼付部３４は、色変換後の画像データを読み出し、色変換後の画像においてそのテキストを含む背景領域にテクスチャー（コード画像ではなく固定的な模様としてのテクスチャー）を付加し（ステップＳ５）、そのテクスチャー上にコード画像を貼り付ける（ステップＳ６）。
【００６０】
図３は、図１に示す画像処理装置による色変換後のテキストに対するコード画像の貼り付けの一例を示す図である。例えば図３に示すように、色変換前のカラーのテキスト１０１（図３（Ａ））が、色変換後にモノクロのテキスト１１１（図３（Ｂ））とされ、さらにそのテキスト１１１を含む背景領域に矩形のテクスチャー１１２が付加され、そのテクスチャーの１１２の隅にコード画像１１３が貼り付けられる。このテクスチャー１１２には、テキスト１１１の視認性を低下させないようなパターンが使用される。
【００６１】
一方、処理対象領域がテキストではない場合、テクスチャーコード特定部３３は、その処理対象領域が図表・グラフであるか否かを判定する（ステップＳ７）。処理対象領域が図表・グラフではない場合（つまり、処理対象領域がテキストでも図表・グラフでもない場合）には、コード画像の貼り付けを行わない。
【００６２】
処理対象領域が図表・グラフである場合、テクスチャーコード特定部３３は、処理対象領域内の各単一色領域の色の平均値をその単一色領域の色とし、その色（ＲＧＢ値）からテクスチャーコードを特定する（ステップＳ８）。
【００６３】
そして、色変換部３１は、その画像データについて色変換を実行する（ステップＳ９）。実施の形態１では、色変換部３１は、そのカラー画像データをモノクロ画像データへ変換する。
【００６４】
コード画像貼付部３４は、色変換後の画像データを読み出し、色変換後の画像における各単一色領域上にコード画像を貼り付ける（ステップＳ１０）。
【００６５】
図４は、図１に示す画像処理装置による色変換後のグラフに対するコード画像の貼り付けの一例を示す図である。例えば図４に示すように、色変換前のカラーのグラフ内の、互いに異なる色の単一色領域１２１，１２２，１２３（図４（Ａ））が、色変換後にモノクロのグラフ内の、領域１３１，１３２，１３３（図４（Ｂ））とされ、さらに、その領域１３１，１３２，１３３内に、コード画像１３４，１３５，１３６が貼り付けられる。なお、図４（Ｂ）では、領域１３１，１３２，１３３内において、コード画像１３４，１３５，１３６を繰り返し配列させてテクスチャーとして貼り付けている。
【００６６】
このようにして、色変換後の処理対象領域にコード画像が貼り付けられる。
【００６７】
ここで、ステップＳ４，Ｓ８におけるテクスチャーコードの特定について詳細に説明する。図５は、図２のステップＳ４，Ｓ８におけるテクスチャーコードの特定について説明するフローチャートである。
【００６８】
テクスチャーコード特定部３３は、まず、処理対象領域のカラー情報を特定する（ステップＳ２１）。実施の形態１では、テクスチャーコード特定部３３は、処理対象領域内の全画素の色値（ＲＧＢ値）の平均値を計算し、その平均値を量子化し、量子化後の値をカラー情報とする。
【００６９】
ここでは、テクスチャーコード特定部３３は、ＲＧＢの各値が８ビットの数値（０から２５５までのいずれかの値）であり、量子化幅を５として量子化する。なお、量子化幅は、視覚的に色の区別が難しい色値の幅とされる。量子化幅が５である場合、量子化後のＲＧＢの各値は、０から５１までのいずれかの値となり、６ビットの数値となる。例えば、（Ｒ，Ｇ，Ｂ）＝（２０５，５，４７）である場合、カラー情報は、（４１，１，９）となる。
【００７０】
次に、テクスチャーコード特定部３３は、カラー情報の各色成分を２進数化し、カラー情報における複数の色成分値を使用して単位コードを特定する（ステップＳ２２）。
【００７１】
ここでは、テクスチャーコード特定部３３は、カラー情報の３成分（２進数）の各同一桁から３桁の２進数を桁ごとに生成し、生成された複数の２進数を２つずつまとめて単位コードとする。
【００７２】
例えば、カラー情報が（４１，１，９）である場合、２進数では、（101001，000001，001001）となり、最上位の第１桁から「100」なる第１の２進数が生成され、第２桁から「000」なる第２の２進数が生成され、第３桁から「101」なる第３の２進数が生成され、第４桁から「000」なる第４の２進数が生成され、第５桁から「000」なる第５の２進数が生成され、第６桁から「111」なる第６の２進数が生成される。そして、第１の２進数「100」（１０進数では４）と第２の２進数「000」（１０進数では０）が１つの単位コードとされ、第３の２進数「101」（１０進数では５）と第４の２進数「000」（１０進数では０）が１つの単位コードとされ、第５の２進数「000」（１０進数では０）と第６の２進数「111」（１０進数では７）が１つの単位コードとされる。
【００７３】
そして、テクスチャーコード特定部３３は、生成した各単位コードを配列させてテクスチャーコードを生成する（ステップＳ２３）。例えば、上述の例では、テクスチャーコードは、「４０５００７」となる。
【００７４】
そして、コード画像貼付部３４は、コード画像テーブル１３に基づいて、各単位コードに対応する単位コード画像を特定し、それらの単位コード画像を配列させてコード画像とする。実施の形態１では、コード画像テーブル１３は、単位コードの各値に一意に対応する単位コード画像の画像データを有しており、コード画像貼付部３４は、単位コードの値に応じた単位コード画像の画像データを読み出して、コード画像の画像データを生成する。
【００７５】
例えば、上述のテクスチャーコード「４０５００７」の場合、単位コードの値は１００通りあるので、１００通りの単位コード画像の画像データがコード画像テーブル１３に含められ、各単位コード画像は、縦横３ブロックの計９ブロックの基本パターンにおいて、他の単位コード画像とは異なる配置パターンで黒（または特定色）のベタ塗りのブロックを配置して得られるものとされる。
【００７６】
図６は、テクスチャーコードとコード画像との対応関係の一例を示す図である。図６（Ａ）に示すように、コード画像テーブル１３において、単位コードの各値ごとに異なる単位コード画像１４１〜１４３が割り当てられており、図６（Ｂ）に示すように、単位コード画像１４１〜１４３を配列させて、テクスチャーコードに対応するコード画像１５１が生成される。なお、図６では、単位コード画像におけるベタ塗りのブロックの数は２であるがその数は２に限定されるものではない。
【００７７】
このようにして、テクスチャーコードが特定され、そのテクスチャーコードからコード画像が特定される。
【００７８】
（２）色復元処理
【００７９】
図７は、図１に示す画像処理装置による色復元処理について説明するフローチャートである。
【００８０】
色復元の対象となる対象画像の画像データ（ここでは、モノクロ画像データ）がこの画像処理装置に供給され、例えば演算処理装置１内のＲＡＭに記憶される。
【００８１】
コード画像検出部４１は、コード画像テーブル１３に基づいて、対象画像内のコード画像を検出する（ステップＳ４１）。コード画像検出部４１は、コード画像テーブル１３を読み出して単位コード画像を特定し、単位コード画像に一致する画像を対象画像内で探し、所定数（上述の図６の例では３個）の単位コード画像が配列しているコード画像を検出する。
【００８２】
コード画像が検出されると、色特定部４２は、そのコード画像がテキストに付加されているか否かを判定する（ステップＳ４２）。このとき、コード画像の背景に上述のテクスチャーが存在する場合には、色特定部４２は、そのコード画像がそのテクスチャー上のテキストに付加されたものと判定する。
【００８３】
コード画像がテキストに付加されていると判定した場合、色特定部４２は、そのコード画像に対応するテクスチャーコードを特定し、そのテクスチャーコードに対応するカラー情報を特定する（ステップＳ４３）。このとき、色特定部４２は、そのコード画像を単位コード画像に分解し、その単位コード画像に対応する単位コードを特定し、その単位コードを配列させてテクスチャーコードを特定する。
【００８４】
そして、色変換部４３は、そのテキストおよびコード画像の背景であるテクスチャー（例えば図３（Ｂ）のテクスチャー１１２）を除去し（ステップＳ４４）、さらに、そのコード画像を除去した上で、そのテキストの色を、色特定部４２により特定されたカラー情報により指定される色に変換する（ステップＳ４５）。このとき、上述のようにして、カラー情報が量子化後の値を有する場合には、カラー情報の値に量子化幅を乗じた値が、カラー情報により指定される。例えば、上述のように量子化幅が５である場合には、カラー情報の値が（４１，１，９）であれば、カラー情報の値が（４１，１，９）であれば、テキストの色（ＲＧＢ値）は（２０５，５，４５）とされる。
【００８５】
一方、コード画像がテキストに付加されていないと判定した場合、色特定部４２は、そのコード画像が図表・グラフの単一色領域に付加されているか否かを判定する（ステップＳ４６）。コード画像が図表・グラフの単一色領域に付加されていない場合（つまり、コード画像がテキストにも図表・グラフにも付加されたものではない場合）には、色復元を行わない。
【００８６】
コード画像が図表・グラフの単一色領域に付加されていると判定した場合、色特定部４２は、ステップＳ４３と同様にして、そのコード画像に対応するテクスチャーコードを特定し、そのテクスチャーコードに対応するカラー情報を特定する（ステップＳ４７）。
【００８７】
そして、色変換部４３は、そのコード画像を除去した上で、その単一色領域の色を、色特定部４２により特定されたカラー情報により指定される色に変換する（ステップＳ４８）。
【００８８】
なお、対象画像内に複数のコード画像が存在する場合には、各コード画像について、上述の処理が行われる。
【００８９】
このようにして、コード画像が付加されているテキストまたは図表・グラフの色が復元される。
【００９０】
以上のように、上記実施の形態１によれば、色変更部２１では、領域検出部３２が、色変換前の対象画像内の処理対象領域を検出し、テクスチャーコード特定部３３が、処理対象領域のカラー情報を特定し、特定したカラー情報に対応するテクスチャーコードを特定し、コード画像貼付部３４が、特定されたテクスチャーコードに対応するコード画像を色変換後の対象画像に貼り付ける。
【００９１】
これにより、コード画像から一意にテクスチャーコードが得られ、テクスチャーコードから一意に色変換前の色が得られるので、色変換後の画像から色変換前の色を正確に特定できる。
【００９２】
また、上記実施の形態１によれば、色復元部２２では、コード検出部４１は、対象画像内のコード画像を検出し、色特定部４２は、コード画像検出部４１により検出されたコード画像に対応するテクスチャーコードを特定し、特定したテクスチャーコードに対応するカラー情報を特定し、色変換部４３は、対象画像内においてコード画像が貼り付けられていた処理対象領域の色を、色特定部４２により特定されたカラー情報により指定される色に変換するとともに、コード画像を対象画像から消去する。
【００９３】
これにより、コード画像から一意にテクスチャーコードが得られ、テクスチャーコードから一意に色変換前の色が得られるので、対象画像から色変換前の色を正確に特定できる。
【００９４】
実施の形態２．
【００９５】
本発明の実施の形態２に係る画像処理装置は、色変換部３１が、対象画像において色弱者が識別困難な特定色を有する部分を特定し、その部分の色を色弱者が識別容易な特定色へ変換し、その部分を処理対象領域として、コード画像を貼り付ける。
【００９６】
なお、実施の形態２に係る画像処理装置の基本的な構成および動作は、実施の形態１の場合と同様であるが、実施の形態２では以下のように各部が動作する。
【００９７】
実施の形態２では、領域検出部３２が、対象画像において色弱者が識別困難な特定色を有する部分（テキストまたは図表・グラフ）を処理対象領域として検出し、色変換部３１が、その部分の色を色弱者が識別容易な特定色へ変換する（つまり、その他の部分の色は変換されない）。
【００９８】
多くの色弱者には、緑色と赤色との見分けが難しく、紫色と青色との見分けが難しい。また、緑色や赤色は、色弱者には茶色に見えるため、緑色や赤色と茶色との見分けが難しい。例えば、背景が茶色でありテキストが緑色であると、色弱者がそのテキストを識別しにくいため、そのテキストが処理対象領域として検出される。
【００９９】
そして、実施の形態２では、テクスチャーコード特定部３３は、実施の形態１と同様にして、その処理対象領域の色に対応するテクスチャーコードを特定し、コード画像貼付部３４は、実施の形態１と同様にして、そのテクスチャーコードに対応するコード画像を貼りつける。
【０１００】
なお、対象画像において色弱者が識別困難な特定色、および色弱者が識別容易な特定色は予め設定しておいてもよいし、色の組合せのリストを図示せぬ表示装置に表示させて、そのリストから、識別しにくい色の組合せをユーザーに選択させ図示せぬ入力装置に対するユーザーの選択操作に従って識別困難な色と識別容易な色を特定するようにしてもよい。
【０１０１】
このようにして、色変更部２１による色変更の処理が行われる。なお、実施の形態２における色復元部２２による色復元の処理は、実施の形態１と同様であるので、その説明を省略する。
【０１０２】
以上のように、上記実施の形態２によれば、色弱者用に色が変更された画像から、元の色を正確に復元することができる。
【０１０３】
なお、上述の各実施の形態は、本発明の好適な例であるが、本発明は、これらに限定されるものではなく、本発明の要旨を逸脱しない範囲において、種々の変形、変更が可能である。
【０１０４】
例えば、上記の各実施の形態に係る画像処理装置は、例えばプリンター、コピー機、複合機などの画像形成装置に内蔵されたり、パーソナルコンピューターなどにインストールされたプログラムに基づいて実現されたりする。
【０１０５】
また、上記の各実施の形態において、図表・グラフにおける単一色領域内にコード画像が収まらない場合には、テキストと同様に背景にテクスチャーを付加して、そのテクスチャー上にコード画像を貼り付けるようにしてもよい。
【０１０６】
また、上記の各実施の形態では、処理対象領域の色値を量子化してカラー情報を生成しているが、量子化せずに色値をそのままカラー情報としてもよい。
【０１０７】
また、上記の各実施の形態において、色変更プログラム１１および色復元プログラムは、可搬性のある記録媒体に記録しておき、その記録媒体用のデータ読取装置を使用して上述の装置へインストールされるようにしてもよい。
【０１０８】
また、上記の各実施の形態において、色変更プログラム１１および色復元プログラムは、２つのうちのいずれか１つのみがインストールされていてもよい。
【産業上の利用可能性】
【０１０９】
本発明は、例えば、画像形成装置やそのドライバープログラムに適用可能である。
【符号の説明】
【０１１０】
１  演算処理装置（コンピューターの一例）
１１  色変更プログラム（画像処理プログラムの一例）
１２  色復元プログラム（画像処理プログラムの一例）
３１  色変換部
３２  領域検出部
３３  テクスチャーコード特定部
３４  コード画像貼付部
４１  コード画像検出部
４２  色特定部
４３  色変換部
【図１】
0005575030.tif 000002
【図２】
0005575030.tif 000003
【図３】
0005575030.tif 000004
【図４】
0005575030.tif 000005
【図５】
0005575030.tif 000006
【図６】
0005575030.tif 000007
【図７】
0005575030.tif 000008